(57)【特許請求の範囲】
【請求項１】
箱体を含み、前記箱体の中には左方に開口した空き空間が設置され、前記空き空間の中には接続装置が設置され、前記空き空間の右内壁には二つのコネクターが固定的に設置され、前記コネクターの左端が前記接続装置に含まれる変圧器に連結され、前記コネクターの右端にはワイヤーハーネスが接続され、
前記箱体の左側には密閉板がスライド可能に設置され、前記密閉板の右端にはスライドロッドが上下対称になるように且つ固定的に連結され、前記箱体の中には左方に開口した案内穴が上下対称になるように設置され、前記スライドロッドの右端が前記案内穴に延在し且つ前記箱体にスライド可能に連結され、前記スライドロッドと前記接続装置とが噛み合っており、
前記密閉板の中には隔離装置が設置され、前記隔離装置の中には二つのカムが回転可能に設置され、手動で前記隔離装置を駆動し、また、二つの前記カムにより前記接続装置を押し、
前記空き空間の上下内壁及び右内壁には熱伝導板と絶縁板とが固定的に設置され、前記絶縁板により前記接続装置が漏電する時に前記に通電することを避けられ、前記熱伝導板は前記接続装置が作動する時に生じた熱量を前記箱体により送出でき、
前記箱体の上端にはエアポンプが固定的に連結され、前記エアポンプと前記空き空間とが気体管によって連通されていることを特徴とする安全な隔離式配電箱。
【請求項２】
前記接続装置は前記変圧器の左端に固定的に連結された連結板を含み、前記連結板の左側にはスライド板がスライド可能に設置され、前記スライド板の右端には四本のコンロッドが固定的に連結され、且つ四本の前記コンロッドが環になるように配列され、前記連結板の中には四つの位置制限空間が設置され、前記コンロッドの右端が前記位置制限空間に延在し且つ前記位置制限空間に沿ってスライドし、
前記位置制限空間の上下端にはラックが固定的に連結され、両側の前記ラックと前記スライドロッドとの間には小型歯車及び大型歯車が連結され、また、前記小型歯車と前記大型歯車とが噛み合っており、前記ラックと前記大型歯車とが噛み合っており、前記スライドロッドと前記小型歯車とが噛み合っていることを特徴とする請求項１に記載の安全な隔離式配電箱。
【請求項３】
前記変圧器の中には二つの差込口が設置されていることを特徴とする請求項２に記載の安全な隔離式配電箱。
【請求項４】
前記案内穴と前記空き空間とが平歯車空間によって連通され、前記小型歯車と前記大型歯車とが平歯車空間の中に回転可能に設置され、前記小型歯車と前記スライドロッドとが噛み合っており、前記大型歯車と前記ラックとが噛み合っており、前記小型歯車と前記大型歯車とが噛み合っていることを特徴とする請求項２に記載の安全な隔離式配電箱。
【請求項５】
前記スライド板の中には背向に開口した引き溝が前後対称になるように形成されていることを特徴とする請求項２に記載の安全な隔離式配電箱。
【請求項６】
前記隔離装置は左方に開口し且つ前記密閉板の中に形成された円形溝を含み、前記円形溝の中には回転棒が回転可能に設置され、前記回転棒の右端には連結軸が固定的に連結され、前記円形溝の右内壁には傘歯車空間が設置され、前記傘歯車空間の中には駆動傘歯車が回転可能に設置され、前記連結軸の右端が前記駆動傘歯車に固定的に連結され、
前記駆動傘歯車の前後端には従動傘歯車が対称になるように設置され、且つ前記従動傘歯車が前記駆動傘歯車と噛み合っており、前記従動傘歯車において前記駆動傘歯車から離れた端にはカム軸が固定的に連結され、
前記傘歯車空間の前後内壁には右方に開口した凹溝が対称になるように形成され、二つの前記カムはそれぞれ両側の前記凹溝の中に回転可能に設置され、二本の前記カム軸において前記駆動傘歯車から離れた端がそれぞれ両側の前記カムに固定的に連結されていることを特徴とする請求項１に記載の安全な隔離式配電箱。
【請求項７】
前記円形溝の上内壁がばね溝と連通しており、前記ばね溝と前記円形溝との間には引掛りブロックがスライド可能に設置され、前記引掛りブロックの上端と前記ばね溝の上内壁とが圧縮ばねにより連結され、
前記回転棒の中には上方と前方に開口した引掛り溝が形成されていることを特徴とする請求項６に記載の安全な隔離式配電箱。
【発明の詳細な説明】
【技術分野】
【０００１】
本願発明は配電分野を取り上げて、具体的には安全な隔離式配電箱である。
【背景技術】
【０００２】
配電とは発電所から送られた電力を、需要者に分配・供給することである。配電システムは、配電変電所、高圧配電線、配電変圧器、低圧配電線および対応する制御保護設備で構成されている。
作動中の配電箱に対し、手動または自動スイッチを利用して回路をオンまたはオフにすることができるが、故障が起こると、上記のことができず、また、周囲温度などの要素が配電箱にある電器の使用に影響し、さらに、故障した配電箱が漏電しやすくなり、もし人体が故障した配電箱に触れると感電する恐れがあり、よって、上記の問題を解決するために、本願は安全な隔離式配電箱を開示した。
【先行技術文献】
【特許文献】
【０００３】
【特許文献１】中国特許出願公開第１０６８４８８８４号明細書
【発明の概要】
【発明が解決しようとする課題】
【０００４】
本願は安全な隔離式配電箱を提供し、従来技術における上記欠点を解消することを目的とする。
【課題を解決するための手段】
【０００５】
本願発明の安全な隔離式配電箱は、箱体を含み、前記箱体の中には左方に開口した空き空間が設置され、前記空き空間の中には接続装置が設置され、前記空き空間の右内壁には二つのコネクターが固定的に設置され、前記コネクターの左端が前記接続装置に含まれる変圧器に連結され、前記コネクターの右端にはワイヤーハーネスが接続され、一本の前記ワイヤーハーネスが前記変圧器に高圧電流を入力し、もう一本の前記ワイヤーハーネスが低圧電流を前記変圧器から出力し、このように二本の前記ワイヤーハーネス、二つの前記コネクター及び前記変圧器により高圧電流の電圧を降下させて配電を行い、前記箱体の左側には密閉板がスライド可能に設置され、前記密閉板の右端にはスライドロッドが上下対称になるように且つ固定的に連結され、前記箱体の中には左方に開口した案内穴が上下対称になるように設置され、前記スライドロッドの右端が前記案内穴に延在し且つ前記箱体にスライド可能に連結され、前記スライドロッドと前記接続装置とが噛み合っており、前記密閉板を押して右方へスライドさせることで、前記スライドロッドが連動して右方へスライドし、噛み合いにより、前記変圧器が駆動されて右方へスライドして前記コネクターと連結され、前記密閉板の中には隔離装置が設置され、前記隔離装置の中には二つのカムが回転可能に設置され、前記密閉板が前記空き空間を閉鎖する時、手動で前記隔離装置を駆動し、また、二つの前記カムにより前記接続装置を押して前記密閉板から離れさせることで、故障が起きて前記接続装置が漏電して前記密閉板に通電することはなく、前記空き空間の上下内壁及び右内壁には熱伝導板と絶縁板とが固定的に設置され、前記絶縁板により前記接続装置が漏電する時に前記に通電することを避けられ、前記熱伝導板は前記接続装置が作動する時に生じた熱量を前記箱体により送出でき、前記箱体の上端にはエアポンプが固定的に連結され、前記エアポンプと前記空き空間とが気体管によって連通され、前記エアポンプを作動させ、前記気体管により前記空き空間の中の空気を前記箱体の外の空気と交換させることで、前記空き空間に冷却を行う。
【０００６】
前記接続装置は前記変圧器の左端に固定的に連結された連結板を含み、前記連結板の左側にはスライド板がスライド可能に設置され、前記スライド板の右端には四本のコンロッドが固定的に連結され、且つ四本の前記コンロッドが環になるように配列され、前記連結板の中には四つの位置制限空間が設置され、前記コンロッドの右端が前記位置制限空間に延在し且つ前記位置制限空間に沿ってスライドし、前記位置制限空間の上下端にはラックが固定的に連結され、両側の前記ラックと前記スライドロッドとの間には小型歯車及び大型歯車が連結され、また、前記小型歯車と前記大型歯車とが噛み合っており、前記ラックと前記大型歯車とが噛み合っており、前記スライドロッドと前記小型歯車とが噛み合っており、前記密閉板を右方へ押すことで、前記スライドロッドが右方へスライドし、前記小型歯車と前記大型歯車により前記ラックを右方へスライドさせ、そして前記連結板が連動して右方へスライドし、前記変圧器を右方へスライドさせて前記コネクターと連結し、また、前記連結板が前記コンロッドにより前記スライド板を駆動して前記空き空間の中に滑り込ませる。
【０００７】
好ましくは、前記変圧器の中には二つの差込口が設置され、前記変圧器は二つの前記差込口により二つの前記コネクターに連結されている。
【０００８】
好ましくは、前記案内穴と前記空き空間とが平歯車空間によって連通され、前記小型歯車と前記大型歯車とが平歯車空間の中に回転可能に設置され、前記小型歯車と前記スライドロッドとが噛み合っており、前記大型歯車と前記ラックとが噛み合っており、前記小型歯車と前記大型歯車とが噛み合っており、前記スライドロッド、前記小型歯車、前記大型歯車及び前記ラックとが減速伝動し、即ち前記密閉板は前記連結板よりスライド速度が速く、また、前記スライドロッド、前記小型歯車、前記大型歯車及び前記ラックとが片方向へ伝動し、即ち前記スライドロッドが駆動品としてスライドする時だけに、前記小型歯車及び前記大型歯車により前記ラックをスライドさせることができる。
【０００９】
好ましくは、前記スライド板の中には背向に開口した引き溝が前後対称になるように形成され、指を前記引き溝の中に入れることで手動で前記スライド板を引き動かすことができ、即ち簡単に前記連結板及び前記変圧器とを引き出せる。
【００１０】
前記隔離装置は左方に開口し且つ前記密閉板の中に形成された円形溝を含み、前記円形溝の中には回転棒が回転可能に設置され、前記回転棒の右端には連結軸が固定的に連結され、前記円形溝の右内壁には傘歯車空間が設置され、前記傘歯車空間の中には駆動傘歯車が回転可能に設置され、前記連結軸の右端が前記駆動傘歯車に固定的に連結され、前記駆動傘歯車の前後端には従動傘歯車が対称になるように設置され、且つ前記従動傘歯車が前記駆動傘歯車と噛み合っており、前記従動傘歯車において前記駆動傘歯車から離れた端にはカム軸が固定的に連結され、前記傘歯車空間の前後内壁には右方に開口した凹溝が対称になるように形成され、二つの前記カムはそれぞれ両側の前記凹溝の中に回転可能に設置され、二本の前記カム軸において前記駆動傘歯車から離れた端がそれぞれ両側の前記カムに固定的に連結され、前記密閉板の右端が前記箱体に当接したら、前記密閉板の右端が前記スライド板と接触し、この時に前記回転棒を回転させ、前記スライド板により前記駆動傘歯車を回転させることで、前記従動傘歯車を回転させ、そして前記カム軸により前記カムを回転させ、前記スライド板を押して右方へスライドさせ、前記コンロッドが前記スライド板につれて前記位置制限空間に沿って右方へスライドし、前記連結板がスライドしなく、前記回転棒と前記カムの速度伝達比は一であり、前記カムが一周回した後、前記密閉板と前記スライド板とが離脱する。
【００１１】
好ましくは、前記円形溝の上内壁がばね溝と連通しており、前記ばね溝と前記円形溝との間には引掛りブロックがスライド可能に設置され、前記引掛りブロックの上端と前記ばね溝の上内壁とが圧縮ばねにより連結され、前記回転棒の中には上方と前方に開口した引掛り溝が形成され、前記引掛りブロックが前記引掛り溝の中に滑り込んで前記回転棒を固定する。
【発明の効果】
【００１２】
本願発明は熱伝導と熱交換の方法により箱体に冷却を行うことで、変圧器の正常な運転を維持し、変圧器が通常運転している時、密閉板及び箱体はいずれも変圧器、連結板及びスライド板と直接接触していないため、変圧器の故障による漏電によって箱体及び密閉板に通電して感電事故を起こすことを避けられる。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の全体構成模式図
【図２】図２は図１におけるＡ―Ａ方向からの構成模式図
【図３】図３は図１におけるＢ―Ｂ方向からの構成模式図
【図４】図４は図１におけるＣの拡大模式図
【図５】図５は図１におけるＤ方向からの模式図
【図６】図６は図４におけるＥの拡大模式図
【発明を実施するための形態】
【００１５】
本願発明の安全な隔離式配電箱は、箱体２３を含み、前記箱体２３の中には左方に開口した空き空間２４が設置され、前記空き空間２４の中には接続装置１０１が設置され、前記空き空間２４の右内壁には二つのコネクター２６が固定的に設置され、前記コネクター２６の左端が前記接続装置１０１に含まれる変圧器２８に連結され、前記コネクター２６の右端にはワイヤーハーネス２５が接続され、一本の前記ワイヤーハーネス２５が前記変圧器２８に高圧電流を入力し、もう一本の前記ワイヤーハーネス２５が低圧電流を前記変圧器２８から出力し、このように二本の前記ワイヤーハーネス２５、二つの前記コネクター２６及び前記変圧器２８により高圧電流の電圧を降下させて配電を行い、前記箱体２３の左側には密閉板１１がスライド可能に設置され、前記密閉板１１の右端にはスライドロッド４２が上下対称になるように且つ固定的に連結され、前記箱体２３の中には左方に開口した案内穴２９が上下対称になるように設置され、前記スライドロッド４２の右端が前記案内穴２９に延在し且つ前記箱体２３にスライド可能に連結され、前記スライドロッド４２と前記接続装置１０１とが噛み合っており、前記密閉板１１を押して右方へスライドさせることで、前記スライドロッド４２が連動して右方へスライドし、噛み合いにより、前記変圧器２８が駆動されて右方へスライドして前記コネクター２６と連結され、前記密閉板１１の中には隔離装置１００が設置され、前記隔離装置１００の中には二つのカム１４が回転可能に設置され、前記密閉板１１が前記空き空間２４を閉鎖する時、手動で前記隔離装置１００を駆動し、また、二つの前記カム１４により前記接続装置１０１を押して前記密閉板１１から離れさせることで、故障が起きて前記接続装置１０１が漏電して前記密閉板１１に通電することはなく、前記空き空間２４の上下内壁及び右内壁には熱伝導板３８と絶縁板３９とが固定的に設置され、前記絶縁板３９により前記接続装置１０１が漏電する時に前記２３に通電することを避けられ、前記熱伝導板３８は前記接続装置１０１が作動する時に生じた熱量を前記箱体２３により送出でき、前記箱体２３の上端にはエアポンプ２１が固定的に連結され、前記エアポンプ２１と前記空き空間２４とが気体管２２によって連通され、前記エアポンプ２１を作動させ、前記気体管２２により前記空き空間２４の中の空気を前記箱体２３の外の空気と交換させることで、前記空き空間２４に冷却を行う。
【００１６】
前記接続装置１０１は前記変圧器２８の左端に固定的に連結された連結板３０を含み、前記連結板３０の左側にはスライド板３１がスライド可能に設置され、前記スライド板３１の右端には四本のコンロッド３７が固定的に連結され、且つ四本の前記コンロッド３７が環になるように配列され、前記連結板３０の中には四つの位置制限空間４０が設置され、前記コンロッド３７の右端が前記位置制限空間４０に延在し且つ前記位置制限空間４０に沿ってスライドし、前記位置制限空間４０の上下端にはラック４３が固定的に連結され、両側の前記ラック４３と前記スライドロッド４２との間には小型歯車４１及び大型歯車４４が連結され、また、前記小型歯車４１と前記大型歯車４４とが噛み合っており、前記ラック４３と前記大型歯車４４とが噛み合っており、前記スライドロッド４２と前記小型歯車４１とが噛み合っており、前記密閉板１１を右方へ押すことで、前記スライドロッド４２が右方へスライドし、前記小型歯車４１と前記大型歯車４４により前記ラック４３を右方へスライドさせ、そして前記連結板３０が連動して右方へスライドし、前記変圧器２８を右方へスライドさせて前記コネクター２６と連結し、また、前記連結板３０が前記コンロッド３７により前記スライド板３１を駆動して前記空き空間２４の中に滑り込ませる。
【００１７】
有益的には、前記変圧器２８の中には二つの差込口２７が設置され、前記変圧器２８は二つの前記差込口２７により二つの前記コネクター２６に連結されている。
【００１８】
有益的には、前記案内穴２９と前記空き空間２４とが平歯車空間４５によって連通され、前記小型歯車４１と前記大型歯車４４とが平歯車空間４５の中に回転可能に設置され、前記小型歯車４１と前記スライドロッド４２とが噛み合っており、前記大型歯車４４と前記ラック４３とが噛み合っており、前記小型歯車４１と前記大型歯車４４とが噛み合っており、前記スライドロッド４２、前記小型歯車４１、前記大型歯車４４及び前記ラック４３とが減速伝動し、即ち前記密閉板１１は前記連結板３０よりスライド速度が速く、また、前記スライドロッド４２、前記小型歯車４１、前記大型歯車４４及び前記ラック４３とが片方向へ伝動し、即ち前記スライドロッド４２が駆動品としてスライドする時だけに、前記小型歯車４１及び前記大型歯車４４により前記ラック４３をスライドさせることができる。
【００１９】
有益的には、前記スライド板３１の中には背向に開口した引き溝３６が前後対称になるように形成され、指を前記引き溝３６の中に入れることで手動で前記スライド板３１を引き動かすことができ、即ち簡単に前記連結板３０及び前記変圧器２８とを引き出せる。
【００２０】
前記隔離装置１００は左方に開口し且つ前記密閉板１１の中に形成された円形溝１２を含み、前記円形溝１２の中には回転棒１５が回転可能に設置され、前記回転棒１５の右端には連結軸４６が固定的に連結され、前記円形溝１２の右内壁には傘歯車空間３２が設置され、前記傘歯車空間３２の中には駆動傘歯車３３が回転可能に設置され、前記連結軸４６の右端が前記駆動傘歯車３３に固定的に連結され、前記駆動傘歯車３３の前後端には従動傘歯車３４が対称になるように設置され、且つ前記従動傘歯車３４が前記駆動傘歯車３３と噛み合っており、前記従動傘歯車３４において前記駆動傘歯車３３から離れた端にはカム軸１３が固定的に連結され、前記傘歯車空間３２の前後内壁には右方に開口した凹溝２０が対称になるように形成され、二つの前記カム１４はそれぞれ両側の前記凹溝２０の中に回転可能に設置され、二本の前記カム軸１３において前記駆動傘歯車３３から離れた端がそれぞれ両側の前記カム１４に固定的に連結され、
前記密閉板１１の右端が前記箱体２３に当接したら、前記密閉板１１の右端が前記スライド板３１と接触し、この時に前記回転棒１５を回転させ、前記スライド板３１により前記駆動傘歯車３３を回転させることで、前記従動傘歯車３４を回転させ、そして前記カム軸１３により前記カム１４を回転させ、前記スライド板３１を押して右方へスライドさせ、前記コンロッド３７が前記スライド板３１につれて前記位置制限空間４０に沿って右方へスライドし、前記連結板３０がスライドしなく、前記回転棒１５と前記カム１４の速度伝達比は一であり、前記カム１４が一周回した後、前記密閉板１１と前記スライド板３１とが離脱する。
【００２１】
有益的には、前記円形溝１２の上内壁がばね溝１９と連通しており、前記ばね溝１９と前記円形溝１２との間には引掛りブロック１７がスライド可能に設置され、前記引掛りブロック１７の上端と前記ばね溝１９の上内壁とが圧縮ばね１８により連結され、前記回転棒１５の中には上方と前方に開口した引掛り溝１６が形成され、前記引掛りブロック１７が前記引掛り溝１６の中に滑り込んで前記回転棒１５を固定する。
【００２２】
以下に図１〜６を交えて本願発明の使用手順について詳しく説明する。
【００２３】
はじめに、密閉板１１と箱体２３とが互いに離れており、スライド板３１が空き空間２４の外に位置しており、駆動傘歯車３３とラック４３とが噛み合っていなく、変圧器２８とコネクター２６とが連結されていなく、引掛りブロック１７が引掛り溝１６の中に滑り込んでいる。
使用時、指を引き溝３６の中に入れ、スライド板３１を右方へ押し、コンロッド３７により連結板３０及び変圧器２８が右方へ大型歯車４４とラック４３が噛み合い始めるまでスライドし、この時に変圧器２８がコネクター２６と連結されていなく、右方へ密閉板１１を押すことで、スライドロッド４２が右方へスライドし、小型歯車４１及び大型歯車４４によりラック４３が右方へスライドし、連結板３０を右方へスライドさせ、さらに変圧器２８を右方へスライドさせ、連結板３０が右方へスライドする時にコンロッド３７によりスライド板３１を右方へスライドさせ、コンロッド３７が位置制限空間４０の左内壁に当接し、密閉板１１の右端が箱体２３に当接した時、密閉板１１が空き空間２４を閉鎖し、スライド板３１の左端が密閉板１１と接触し、変圧器２８が差込口２７によりコネクター２６と連結される。
続いて回転棒１５を反時計回りに回転させ、連結軸４６により駆動傘歯車３３が回転し、従動傘歯車３４を回転させ、カム軸１３によりカム１４が回転し、スライド板３１を押して右方へスライドさせ、コンロッド３７が連動して位置制限空間４０に沿って右方へスライドし、連結板３０がスライドしなく、回転棒１５が一周回した後、引掛りブロック１７が圧縮ばね１８の作用のもとで改めて引掛り溝１６の中に引掛り、この時にカム１４がちょうど一周回してスライド板３１から離脱し、また、密閉板１１とスライド板３１とが離脱する。
この時にワイヤーハーネス２５が通電し、変圧器２８により電圧を下げて配電を行い、エアポンプ２１を作動させ、気体管２２により空き空間２４の中の空気を箱体２３の外の空気と交換させ、空き空間２４に冷却を行うと同時に、熱伝導板３８が空き空間２４の中の熱量を箱体２３により送出できる。
変圧器２８が故障した場合、絶縁板３９により箱体２３が導電しなく、また、スライド板３１と密閉板１１とが接触していないため、密閉板１１も導電しなく、密閉板１１を左方へ引き動かし、スライドロッド４２、小型歯車４１、大型歯車４４及びラック４３の間の伝動により連結板３０が駆動されて左方へスライドし、変圧器２８を左方へスライドさせてコネクター２６から離脱させ、この時にスライド板３１が前記空き空間２４を離れ、ここでスライド板３１、連結板３０及び変圧器２８を引き出せば、変圧器２８に点検を行える。
【００２４】
以上の方式により、当該分野の従業員は本願発明の範囲内で作業状況に応じて様々な改変を加えることができる。
【要約】
【課題】本願は安全な隔離式配電箱を開示した。
【解決手段】
本願発明の安全な隔離式配電箱は、箱体を含み、前記箱体の中には左方に開口した空き空間が設置され、前記空き空間の中には接続装置が設置され、前記空き空間の右内壁には二つのコネクターが固定的に設置され、前記コネクターの左端が前記接続装置に含まれる変圧器に連結され、本願発明は熱伝導と熱交換の方法により箱体に冷却を行うことで、変圧器の正常な運転を維持し、変圧器が通常運転している時、密閉板及び箱体はいずれも変圧器、連結板及びスライド板と直接接触していないため、変圧器の故障による漏電によって箱体及び密閉板に通電して感電事故を起こすことを避けられる。
【選択図】図１【図１】
0006847352.tif 000002
【図２】
0006847352.tif 000003
【図３】
0006847352.tif 000004
【図４】
0006847352.tif 000005
【図５】
0006847352.tif 000006
【図６】
0006847352.tif 000007